【手続補正書】
【提出日】平成27年2月17日(2015.2.17)
【手続補正１】
【補正対象書類名】明細書
【補正対象項目名】００２６
【補正方法】変更
【補正の内容】
【００２６】
本開示のある態様では、架橋した高ガラス転移点ポリマーが、架橋化合物と熱的に安定な高Ｔｇ芳香族ポリマーとを含む組成物の混合物から生成される。この組成物はポリマーと混合されて、均質な混合物を生成する。このポリマーは、少なくとも１種の芳香族基を含み、そして以下の構造：
（−Ｏ−Ａｒ１−Ｏ−Ａｒ２−）ｍ（−Ｏ−Ａｒ３−Ｏ−Ａｒ４−）ｎ
（式中、Ａｒ１、Ａｒ２、Ａｒ３、およびＡｒ４は、同一または異なるアリール基であり、ｍは０〜１であり、ｎは１−ｍであり；ポリスルホン；ポリイミド；ポリアミド；ポリ（エーテルケトン）；ポリ尿素；ポリウレタン；ポリフタルアミド；ポリアミドイミド；アラミド；およびポリ（ベンズイミダゾール）である。）のポリマー繰り返し単位を含むポリ（アリーレンエーテル）ポリマーの１種または２種以上から選択できる。
【手続補正２】
【補正対象書類名】明細書
【補正対象項目名】００４１
【補正方法】変更
【補正の内容】
【００４１】
本発明を好ましい態様を参照して記載したが、本発明の範囲を離れることなく種々の改変がなされることができ、そしてそれらの要素において均等物が作られることができることを当業者は理解するであろう。さらに、それらの本質的な精神を離れることなく本発明の教示に特別な状況または材料を適合させるために多くの改変を行うことができる。したがって、この発明を行うために熟考された最良の形態として開示された特定の態様に限定されないが、付属の請求項の範囲内にある全ての態様を含むであろうことを意図する。
（態様１）
以下の構造：
【化１３】
2015504463.tif 000001
（式中、Ｒは、ＯＨ、ＮＨ２、ハロゲン化物、エステル、アミン、エーテル、またはアミドであり、そしてｘは２〜６であり、そしてＡは約１０、０００未満の分子量を有するアレーン部分である。）を有する架橋化合物を含む、組成物。
（態様２）
該架橋化合物が、
【化１４】
2015504463.tif 000002
および
【化１５】
2015504463.tif 000003
からなる群から選択される構造を有する、態様１に記載の組成物。
（態様３）
該架橋化合物が、以下の構造：
【化１６】
2015504463.tif 000004
を有する、態様１に記載の組成物。
（態様４）
該架橋化合物が、以下の構造：
【化１７】
2015504463.tif 000005
を有する、態様１に記載の組成物。
（態様５）
該架橋化合物が、以下の構造：
【化１８】
2015504463.tif 000006
を有する、態様１に記載の組成物。
（態様６）
該架橋化合物が、以下の構造：
【化１９】
2015504463.tif 000007
を有する、態様１に記載の組成物。
（態様７）
以下の構造：
【化２０】
2015504463.tif 000008
（式中、ＲはＯＨ、ＮＨ２、ハロゲン化物、エステル、アミン、エーテル、またはアミドであり、そしてｘは２〜６であり、そしてＡは約１０、０００未満の分子量を有するアレーン部分である。）を有する架橋化合物を含む組成物と、
少なくとも１種の芳香族基を含むポリマーと、
を含む混合物であって、
該混合物が、該組成物と該ポリマーとの実質的に均質なブレンドである、混合物。
（態様８）
該ポリマーが、以下の構造：
（−Ｏ−Ａｒ１−Ｏ−Ａｒ２−）ｍ（−Ｏ−Ａｒ３−Ｏ−Ａｒ４−）ｎ
（式中、Ａｒ１、Ａｒ２、Ａｒ３、およびＡｒ４は、同一または異なるアリール基であり、ｍは０〜１であり、ｎは１−ｍであり；ポリスルホン；ポリイミド；ポリアミド；ポリ（エーテルケトン）；ポリ尿素；ポリウレタン；ポリフタルアミド；ポリアミドイミド；アラミド；ポリ（ベンズイミダゾール）；およびそれらの組み合わせである。）のポリマー繰り返し単位を含むポリ（アリーレンエーテル）ポリマーからなる群から選択される、態様７に記載の混合物。
（態様９）
該混合物が、該組成物と該ポリマーとの共沈殿ブレンドである、態様７に記載の混合物。
（態様１０）
該混合物が、該組成物と該ポリマーとの共蒸発ブレンドである、態様７に記載の混合物。
（態様１１）
該混合物が、該組成物と該ポリマーとの機械的混合されたブレンドである、態様７に記載の混合物。
（態様１２）
該架橋化合物が、
【化２１】
2015504463.tif 000009
および、
【化２２】
2015504463.tif 000010
からなる群から選択される構造を有する、態様７に記載の混合物。
（態様１３）
該架橋化合物が、以下の構造：
【化２３】
2015504463.tif 000011
を有する、態様７に記載の混合物。
（態様１４）
該架橋化合物が、以下の構造：
【化２４】
2015504463.tif 000012
を有する、態様７に記載の混合物。
（態様１５）
該架橋化合物が、以下の構造：
【化２５】
2015504463.tif 000013
を有する、態様７に記載の混合物。
（態様１６）
該架橋化合物が、該以下の構造：
【化２６】
2015504463.tif 000014
を有する、態様７に記載の混合物。
（態様１７）
以下の構造：
【化２７】
2015504463.tif 000015
（式中、ＲはＯＨ、ＮＨ２、ハロゲン化物、エステル、アミン、エーテル、またはアミドであり、そしてｘは２〜６であり、そしてＡは約１０、０００未満の分子量を有するアレーン部分である。）を有する架橋化合物を含む組成物を提供する工程と、
少なくとも１種の芳香族基を含むポリマーを提供する工程と、
該組成物と該ポリマーとを混合して実質的に均質の混合物を生成する工程と、
を含む、ポリマーブレンドの製造方法。
（態様１８）
該ポリマーが、以下の構造：
（−Ｏ−Ａｒ１−Ｏ−Ａｒ２−）ｍ（−Ｏ−Ａｒ３−Ｏ−Ａｒ４−）ｎ
（式中、Ａｒ１、Ａｒ２、Ａｒ３、およびＡｒ４は、同一または異なるアリール基であり、ｍは０〜１であり、ｎは１−ｍであり；ポリスルホン；ポリイミド；ポリアミド；ポリ（エーテルケトン）；ポリ尿素；ポリウレタン；ポリフタルアミド；ポリアミドイミド；アラミド；ポリ（ベンズイミダゾール）；およびそれらの組み合わせである。）のポリマー繰り返し単位を含むポリ（アリーレンエーテル）ポリマーからなる群から選択される、態様１７に記載の方法。
（態様１９）
該混合する工程が、該組成物と該ポリマーとを溶媒中に溶解して溶液を生成させること、該溶液を非溶媒に加えること、そして該組成物と該ポリマーとを共沈殿させて実質的に均質な混合物を生成させること、とを含む、態様１７に記載の方法。
（態様２０）
該混合する工程が、該組成物と該ポリマーとを溶媒中に溶解して溶液を生成させることと、該溶液から該溶液を蒸発させて実質的に均質な混合物を生成させることと、を含む、態様１７に記載の方法。
（態様２１）
該混合する工程が、該組成物と該ポリマーとを溶媒中に溶解して溶液を生成させることと、該溶液から該溶液を蒸発させて実質的に均質な混合物を生成させることと、を含む、態様１７に記載の方法。
（態様２２）
該混合する工程が、該組成物と該ポリマーとを機械的にブレンドして該実質的に均質な混合物を生成させることを含む、態様１７に記載の方法。
（態様２３）
該機械的にブレンドすることが、押出機、ボールミル、またはサイログラインダー中で行われる、態様２２に記載の方法。
（態様２４）
該架橋化合物が、
【化２８】
2015504463.tif 000016
および、
【化２９】
2015504463.tif 000017
からなる群から選択される構造を有する、態様１７に記載の方法。
（態様２５）
該架橋化合物が、以下の構造：
【化３０】
2015504463.tif 000018
を有する、態様１７に記載の方法。
（態様２６）
該架橋化合物が、以下の構造：
【化３１】
2015504463.tif 000019
を有する、態様１７に記載の方法。
（態様２７）
該架橋化合物が、以下の構造：
【化３２】
2015504463.tif 000020
を有する、態様１７に記載の方法。
（態様２８）
該架橋化合物が、以下の構造：
【化３３】
2015504463.tif 000021
を有する、態様１７に記載の方法。
（態様２９）
以下の構造：
【化３４】
2015504463.tif 000022
（式中、Ｒは、ＯＨ、ＮＨ２、ハロゲン化物、エステル、アミン、エーテル、またはアミドであり、そしてｘは２〜６であり、そしてＡは約１０、０００未満の分子量を有するアレーン部分である。）を有する架橋化合物を含む組成物と、
少なくとも１種の芳香族基を含むポリマーと、
の反応生成物を含む、架橋ポリマー。
（態様３０）
該ポリマーが、以下の構造：
（−Ｏ−Ａｒ１−Ｏ−Ａｒ２−）ｍ（−Ｏ−Ａｒ３−Ｏ−Ａｒ４−）ｎ
（式中、Ａｒ１、Ａｒ２、Ａｒ３、およびＡｒ４は、同一または異なるアリール基であり、ｍは０〜１であり、ｎは１−ｍであり；ポリスルホン；ポリイミド；ポリアミド；ポリ（エーテルケトン）；ポリ尿素；ポリウレタン；ポリフタルアミド；ポリアミドイミド；アラミド；ポリ（ベンズイミダゾール）；およびそれらの組み合わせである。）のポリマー繰り返し単位を含むポリ（アリーレンエーテル）ポリマーからなる群から選択される、態様２９に記載の架橋ポリマー。
（態様３１）
該反応生成物が熱硬化される、態様２９に記載の架橋ポリマー。
（態様３２）
該反応生成物が、約２５０℃超の温度に加熱されて熱硬化される、態様３１に記載の架橋ポリマー。
（態様３３）
該反応生成物が放射線硬化される、態様２９に記載の架橋ポリマー。
（態様３４）
該反応生成物が、マイクロ波、赤外、紫外、および電子ビームからなる群から選択される放射線に暴露されることにより放射線硬化される、態様３３に記載の架橋ポリマー。
（態様３５）
該反応生成物が２６０℃超の温度において熱的に安定である、態様２９に記載の架橋ポリマー。
（態様３６）
該反応生成物が４００℃超の温度において、熱的に安定である、態様２９に記載のポリマー。
【手続補正３】
【補正対象書類名】特許請求の範囲
【補正対象項目名】全文
【補正方法】変更
【補正の内容】
【特許請求の範囲】
【請求項１】
以下の構造：
【化８】
2015504463.tif 000023
（式中、ＲはＯＨ、ＮＨ２、ハロゲン化物、エステル、アミン、エーテル、またはアミドであり、そしてｘは２〜６であり、そしてＡは約１０、０００未満の分子量を有するアレーン部分である。）を有する架橋化合物を含む組成物と、
少なくとも１種の芳香族基を含むポリマーと、
を含む混合物であって、
該混合物が、該組成物と該ポリマーとの実質的に均質なブレンドである、混合物。
【請求項２】
該ポリマーが、以下の構造：
（−Ｏ−Ａｒ１−Ｏ−Ａｒ２−）ｍ（−Ｏ−Ａｒ３−Ｏ−Ａｒ４−）ｎ
（式中、Ａｒ１、Ａｒ２、Ａｒ３、およびＡｒ４は、同一または異なるアリール基であり、ｍは０〜１であり、ｎは１−ｍであり；ポリスルホン；ポリイミド；ポリアミド；ポリ（エーテルケトン）；ポリ尿素；ポリウレタン；ポリフタルアミド；ポリアミドイミド；アラミド；ポリ（ベンズイミダゾール）；およびそれらの組み合わせである。）のポリマー繰り返し単位を含むポリ（アリーレンエーテル）ポリマーからなる群から選択される、請求項１に記載の混合物。
【請求項３】
該混合物が、該組成物と該ポリマーとの共沈殿ブレンドであるか、または該組成物と該ポリマーとの共蒸発ブレンドであるか、または該組成物と該ポリマーとの機械的混合されたブレンドである、請求項１に記載の混合物。
【請求項４】
該架橋化合物が、
【化９】
2015504463.tif 000024
および、
【化１０】
2015504463.tif 000025
からなる群から選択される構造を有する、請求項１に記載の混合物。
【請求項５】
該架橋化合物が、以下の構造：
【化１１】
2015504463.tif 000026
【化１２】
2015504463.tif 000027
【化１３】
2015504463.tif 000028
【化１４】
2015504463.tif 000029
を有する、請求項１に記載の混合物。
【請求項６】
以下の構造：
【化１５】
2015504463.tif 000030
（式中、ＲはＯＨ、ＮＨ２、ハロゲン化物、エステル、アミン、エーテル、またはアミドであり、そしてｘは２〜６であり、そしてＡは約１０、０００未満の分子量を有するアレーン部分である。）を有する架橋化合物を含む組成物を提供する工程と、
少なくとも１種の芳香族基を含むポリマーを提供する工程と、
該組成物と該ポリマーとを混合して実質的に均質の混合物を生成する工程と、
を含む、ポリマーブレンドの製造方法。
【請求項７】
該ポリマーが、以下の構造：
（−Ｏ−Ａｒ１−Ｏ−Ａｒ２−）ｍ（−Ｏ−Ａｒ３−Ｏ−Ａｒ４−）ｎ
（式中、Ａｒ１、Ａｒ２、Ａｒ３、およびＡｒ４は、同一または異なるアリール基であり、ｍは０〜１であり、ｎは１−ｍであり；ポリスルホン；ポリイミド；ポリアミド；ポリ（エーテルケトン）；ポリ尿素；ポリウレタン；ポリフタルアミド；ポリアミドイミド；アラミド；ポリ（ベンズイミダゾール）；およびそれらの組み合わせである。）のポリマー繰り返し単位を含むポリ（アリーレンエーテル）ポリマーからなる群から選択される、請求項６に記載の方法。
【請求項８】
該混合する工程が、該組成物と該ポリマーとを溶媒中に溶解して溶液を生成させること、該溶液を非溶媒に加えること、そして該組成物と該ポリマーとを共沈殿させて実質的に均質な混合物を生成させること、とを含むか、または、
該混合する工程が、該組成物と該ポリマーとを溶媒中に溶解して溶液を生成させることと、該溶液から該溶液を蒸発させて実質的に均質な混合物を生成させることと、を含む、請求項６に記載の方法。
【請求項９】
該混合する工程が、該組成物と該ポリマーとを機械的にブレンドして該実質的に均質な混合物を生成させることを含む、請求項６に記載の方法。
【請求項１０】
該機械的にブレンドすることが、押出機、ボールミル、またはサイログラインダー中で行われる、請求項９に記載の方法。
【請求項１１】
該架橋化合物が、
【化１６】
2015504463.tif 000031
および、
【化１７】
2015504463.tif 000032
からなる群から選択される構造を有する、請求項６に記載の方法。
【請求項１２】
該架橋化合物が、以下の構造：
【化１８】
2015504463.tif 000033
【化１９】
2015504463.tif 000034
【化２０】
2015504463.tif 000035
【化２１】
2015504463.tif 000036
を有する、請求項６に記載の方法。
【請求項１３】
以下の構造：
【化２２】
2015504463.tif 000037
（式中、Ｒは、ＯＨ、ＮＨ２、ハロゲン化物、エステル、アミン、エーテル、またはアミドであり、そしてｘは２〜６であり、そしてＡは約１０、０００未満の分子量を有するアレーン部分である。）を有する架橋化合物を含む組成物と、
少なくとも１種の芳香族基を含むポリマーと、
の反応生成物を含む、架橋ポリマー。
【請求項１４】
該ポリマーが、以下の構造：
（−Ｏ−Ａｒ１−Ｏ−Ａｒ２−）ｍ（−Ｏ−Ａｒ３−Ｏ−Ａｒ４−）ｎ
（式中、Ａｒ１、Ａｒ２、Ａｒ３、およびＡｒ４は、同一または異なるアリール基であり、ｍは０〜１であり、ｎは１−ｍであり；ポリスルホン；ポリイミド；ポリアミド；ポリ（エーテルケトン）；ポリ尿素；ポリウレタン；ポリフタルアミド；ポリアミドイミド；アラミド；ポリ（ベンズイミダゾール）；およびそれらの組み合わせである。）のポリマー繰り返し単位を含むポリ（アリーレンエーテル）ポリマーからなる群から選択される、請求項１３に記載の架橋ポリマー。
【請求項１５】
該反応生成物が熱硬化される、請求項１３に記載の架橋ポリマー。
【請求項１６】
該反応生成物が、約２５０℃超の温度に加熱されて熱硬化される、請求項１５に記載の架橋ポリマー。
【請求項１７】
該反応生成物が放射線硬化される、請求項１３に記載の架橋ポリマー。
【請求項１８】
該反応生成物が、マイクロ波、赤外、紫外、および電子ビームからなる群から選択される放射線に暴露されることにより放射線硬化される、請求項１７に記載の架橋ポリマー。
【請求項１９】
該反応生成物が２６０℃超の温度において熱的に安定である、請求項１３に記載の架橋ポリマー。
【請求項２０】
該反応生成物が４００℃超の温度において、熱的に安定である、請求項１３に記載のポリマー。